(57)【特許請求の範囲】
【請求項１】
排水性舗装路面において、大気開放条件下、路面の一定面積を枠体で囲み、該枠内の横幅（又は縦幅）と同じ長さの長尺状の箱体であって下方に同じ長さのスリットのあるスプレッダーボックスから、該枠体中に少なくとも１．５Ｌ／ｍ２以上の水を３秒以内に均一に散布し、散布完了から、粗骨材表面に付着したものを除いたほぼ全ての散布水が、舗装表面に観察される粗骨材空隙に吸収されるまでの時間を測定することにより、透水性を測定することを特徴とする排水性舗装路の透水性測定方法。
【請求項２】
排水性舗装路面において、大気開放条件下、路面の一定面積を枠体で囲み、該枠内の横幅（又は縦幅）と同じ長さの長尺状の箱体であって下方に同じ長さのスリットのあるスプレッダーボックスから、該枠体中に少なくとも１．５Ｌ／ｍ２以上の水を３秒以内に均一に散布し、散布完了から、粗骨材表面に付着したものを除いたほぼ全ての散布水が、舗装表面に観察される粗骨材空隙に吸収されるまでの時間を測定するための装置であって、散水する面積を規定する囲い枠、散水した水が囲い枠外に漏れるのを防止する横漏れ防止材、前記スプレッダーボックス、該スプレッダーボックスの散水口の閉止具である止水パッド、該スプレッダーボックスの移動用のガイドレールを有することを特徴とする排水性舗装路の透水性測定装置。
【請求項３】
該スプレッダーボックスには、水準器が取り付けられており、かつ該スプレッダーボックスが常に水平に保たれる機構を有する請求項２記載の排水性舗装路の透水性測定装置。
【発明の詳細な説明】
【技術分野】
【０００１】
本発明は、排水性舗装路の透水性測定方法及び測定装置に関するものである。
【背景技術】
【０００２】
排水性舗装路は、表面の水を迅速に下方に浸透させ、一定深さの遮水層から道路の側溝に導くものである。これは、表面でのスリップ事故やハイドロプレーニング現象を軽減する、歩行者への水はねを軽減する、低騒音になるなどの効果があり、近年多用されてきている。すべての雨水を下方に浸透させるいわゆる透水性舗装路とは遮水層の有無で異なる。
【０００３】
このように排水性舗装路においては、遮水層が舗装表面から浸透してきた水を基層以下の層に浸透するのを防ぐ重要な役割を担っているが、施工後、年数を経るに従いその遮水機能を失い、水が下方に浸透することによりクラックやポンピングなど、種々の問題が発生する。
【０００４】
また表層である透水層は、その機能から当然ながら空隙が多く、そのため、骨材の固着力が弱い。よって、どうしても車の通行等によって骨材が飛散しやすい。また、一度骨材が飛散すると、その部分はより露出し、加速度的に飛散が生じることとなる。
【０００５】
このような排水性舗装路の予防的補修の方法として、アスファルト乳剤等の液状補修材を路面より散布する工法が提案されている。この工法は、一般的な舗装表層部の切削オーバーレイなどと比べ、簡便で且つ低コストで基層部への遮水層の形成や舗装表層部の骨材飛散の抑制ができるなど多くの点でメリットを有する方法である。
【０００６】
施工に際しては、アスファルト乳剤等の液状補修材を路面上にディストリビューターなどの散布機で散布し、表層内の空隙に浸透させるものである。その際、目的の一つである排水性舗装路の表層と基層の間に遮水層を形成させるためには単位面積あたりに所要量の液状補修材を散布する必要があるが、施工後年月を経た道路は次第に空隙詰まりを起こし、舗装時の空隙率を維持していない場合が多い。このように空隙詰まりした排水性舗装路面に液状補修材を散布すると液状補修材は空隙内部に浸透せず路面に滞留し、場合によっては路面の勾配に沿って施工区画外へ流出してしまう。
【０００７】
これらの問題を防ぐために実際の施工前に事前調査を行い、表層部の透水性を測定し、その空隙詰まり程度を調べる必要がある。
【０００８】
この調査のための従来の方法は、図４のような現場透水量試験器を用いた方法で透水性を測定するものである。この従来の方法では、容器１に貯められた水は、下方のパイプ２とそこに設けられたバルブ３を通して逆ロート状の散水容器４に流下し、容器１内の水と一体になった後、接する路面から浸透していく。逆ロート状の容器４は密閉系であるため、容器１の水柱による圧力（水頭圧）が加わり、実際に液状補修材等を散布する大気開放条件下とは条件が異なり、正しい比較はできない。即ち、透水性とこの水頭圧とどのような関係であり、どのような換算で変換できるか等もまだ不明である。また、逆ロート状容器が接する路面の面積も小さく、測定する場所の違いによる測定誤差も大きい。
【０００９】
他の方法として実際に水を浸透させずに音の反響等により空隙率を調べ、透水性を推定する方法もあるが、あくまで間接的手法であり、求めようとしている透水性に関して直接的な相関は得られない。
【発明の概要】
【発明が解決しようとする課題】
【００１０】
そこで、排水性舗装路の透水性を簡単に測定でき、かつ実際のディストリビューターなどによるアスファルト乳剤散布の場合と相関性が得られる測定方法ならびに測定装置を提供する。
【課題を解決するための手段】
【００１１】
以上のような状況に鑑み、本発明者は鋭意研究の結果、本発明である排水性舗装路の透水性測定方法及び測定装置を完成したものであり、その特徴とするところは、測定方法にあっては、排水性舗装路面において、大気開放条件下、路面の一定面積を枠体で囲み、その中に少なくとも１．５Ｌ／ｍ２ 以上の水を３秒以内に均一に散布し、散布完了から、粗骨材表面に付着したものを除いたほぼ全ての散布水が、舗装表面に観察される粗骨材空隙に吸収されるまでの時間を測定することにより、透水性を測定する点にあり、測定装置にあっては、排水性舗装路面において、大気開放条件下、路面の一定面積を枠体で囲み、その中に少なくとも１．５Ｌ／ｍ２ 以上の水を３秒以内に均一に散布し、散布完了から、粗骨材表面に付着したものを除いたほぼ全ての散布水が、舗装表面に観察される粗骨材空隙に吸収されるまでの時間を測定するための装置であって、散水する面積を規定する囲い枠、散水した水が囲い枠外に漏れるのを防止する横漏れ防止材、水を一定量散水するための貯水部兼散水口であるスプレッダーボックス、該スプレッダーボックスの散水口の閉止具である止水パッド、該スプレッダーボックスの移動用のガイドレールを有する点にある。
【００１２】
まず、本発明の請求項１の透水性測定方法について説明する。
大気開放条件下とは、散水する水が大気開放であり、密閉されて圧がかかったりしていないという意味である。これにより、前記した従来の測定の欠点が解消されている。
【００１３】
測定するエリアを枠体で囲み、その中に少なくとも１．５Ｌ／ｍ２  以上の水を３秒以内に散布する。１．５Ｌ／ｍ2  以下では、少なすぎて液面高さがわかりにくい。多くてもよいが、測定操作上、５Ｌ以下が好ましくより好ましくは３Ｌ以下である。
【００１４】
３秒以内に塗布する。枠体で囲んだエリアに同時に散布できればよいが、実際上難しいため３秒以内にしている。３秒以上かかると、最初に散布した部分の浸透が進み、測定誤差になるためである。好ましくは０．５〜２秒である。
【００１５】
ここでいう均一は、枠体で囲んだエリア全体として均一にという意味であるが、数学的な厳密な意味での均一ではなく、どの部分をとってもほぼ１０％以上の散布量の差がないという程度の意味である。部分的に量が異なると正しい測定はできない。
【００１６】
舗装表面に観察される粗骨材とは、表面から見える粗骨材であり、一般的には自動車のタイヤが接する骨材である。例外的には、飛散した表面骨材がありその下方の骨材が見えている場合もあるが、そのような下方の骨材はここでは含まない。
【００１７】
散布水が、上記した舗装表面に観察される粗骨材の空隙に吸収される時とは、散布完了から散布水が空隙に吸収されて見えなくなった時点をいう。しかし、骨材表面に付着した吸着水等は除く。
【００１８】
散布完了から上記の吸収までの時間は、基本的には目視で測定する。ストップウォッチで測るのが簡単である。また、散水が完了した時点から自動的に時計がスタートするもので、ボタンを押せばその時計が止まるものでもよい。
【００１９】
液状補修材を散布し浸透させる補修工法において、アスファルト乳剤等の液状補修材が排水性舗装路内に速やかに浸透していくかどうかを判定する方法として、透水性の異なる排水性舗装の供試体を作成し、上記の透水に要する時間と、実際の液状補修材散布時の浸透性の関係について相関を求める。その上で、一定量の液状補修材を散布した後に液状補修材が速やかに浸透せず、路面に滞留するような供試体での透水時間を確認し、その透水時間に対して実際の施工現場における透水時間が短ければ施工可、長ければ不可というように判断することも可能である。
【００２０】
次に請求項２記載の装置について説明する。
本発明装置は、請求項１の方法を実施するためのものであって、囲い枠、横漏れ防止材、スプレッダーボックス、止水パッド、ガイドレールを有するものである。
【００２１】
ここで、囲い枠とは、矩形の枠であり、１次的に散水範囲を決めるものである。即ち、被測定舗装面に載置し、散水する範囲の周囲を囲むものである。
囲い枠の大きさは、縦横共に、２０ｃｍから５０ｃｍ程度であり、３０ｃｍから４０ｃｍ程度が好適である。
【００２２】
横漏れ防止材は、散布した水が上記囲い枠の範囲から周囲に漏れるのを防止するシールの役目を果たすものである。上記横漏れ防止材の下方又は側部に固着されているか、その都度脱着するものである。密閉性を要求させるため、柔軟な素材である必要がある。ゴム、軟質プラスチック、粘土のような可塑性材等である。
【００２３】
スプレッダーボックスとは、散水する水を入れておくタンクである。このタンクから、一定量の水が被測定面に対してできるだけ均一に迅速に散布できるものである。例えば、上記囲い枠内面の横幅（又は縦幅）と同じ長さの長尺状の箱体であって、下方に同じ長さのスリットのあるものが好適である。スリットの形状は問わないが、均一に散布するために穴開き板、仕切り板等で工夫されたものが好ましい。このスリット部が止水パッドから離れることにより水が落下する。
【００２４】
スプレッダーボックスの容量としては、限定はしないが、３００ｍＬから１Ｌ程度が好適である。このスプレッダーボックスは、下方に向かって幅が狭くなったものが好ましい。そしてその先端部にスリットを有するものがよい。
【００２５】
止水パッドとは、上記したスプレッダーボックスの散水開口を閉止するもので蓋、カバー、詰め物等である。要するに、通常は閉止して計測するときに迅速に開放できればよい。上記開口がスリットの場合、長い蓋か、ゴム等柔軟な素材の棒体でもよい。開放の方法は、この棒体を外すか、その閉止具からスプレッダーボックスが移動すると散水される等である。
【００２６】
また、開放は、後述するスプレッダーボックス駆動モーターからのワイヤによって、スプレッダーボックスが動くと同時に蓋（止水パッド）が開くようにしてもよい。
【００２７】
このスプレッダーボックスには、水平を確認するために水準器を取り付けてもよい。さらに、常に水平に保たれる機構を設けてもよい。例えば、前後左右にフリーに回転できるようし、重力で常に水平になる機構等である。
【００２８】
スプレッダーボックスは、手で動かしてもよいが、モーターで移動させてもよい。これは、速度を一定にするためである。散布するときの速度が一定でないと、場所によって散布量が違うことになり測定誤差になる。移動の方法はモーターと連結したワイヤで引っ張る、ギアを回転させて移動する等自由である。
【００２９】
散水の完了は、散水を停止した時点である。散水の停止は、上記したスプレッダーボックスが停止した時点で散水の開口を閉止して行っても、最初から水を所定量入れてスプレッダーボックスが停止したときになくなるようにして行ってもよい。
【００３０】
ガイドレールは、スプレッダーボックスを迅速に被散水面積全体に移動させるための補助具である。このレールの上をスプレッダーボックスが移動して散水するのである。よって、レールとしては、特別なものである必要はなく通常のものでよい。
【００３１】
このガイドレールは、角度が調整できるものがよい。
被測定面である舗装面は、常に水平であるとは限らない。傾斜がある場合、それを無視して散水すると、上記スプレッダーボックスが傾き、一様に散水できなくなる。そこでガイドレールの角度を調整できれば、スプレッダーボックスの進む方向が水平になる。また、スプレッダーボックスの進行方向と直角の方向は、スプレッダーボックスの角度を調整すればよい。これで全方向に対し角度の調整ができ、舗装面がどの方向に傾斜していても水平に保つことができる。
【発明の効果】
【００３２】
本発明には次のような効果がある。
（１）  大気解放状態で散水するため実際に近い浸透速度が測定できる。
（２）  迅速に散水できるため測定が正確である。
（３）  水平が確保できるため、より均一に散水できる。
【図面の簡単な説明】
【００３３】
【図１】本発明透水性測定装置１の１例の概略平面図である。
【図２】本発明透水性測定装置１の１例の概略側面図である。
【図３】本発明透水性測定装置１の１例の概略斜視図である。
【図４】従来例の断面図である。
【発明を実施するための最良の形態】
【００３４】
以下図面に示す実施例に基づいて、本発明をより詳細に説明する。
図１は、本発明透水性測定装置１の一例を示すもので、一部省略した概略平面図である。囲い枠２とスプレッダーボックス３が見えている。このスプレッダーボックス３が矢印Ａの方向に進みながら散水するのである。散水面囲い枠２に囲まれたエリア４が被測定面である。
【００３５】
図２は、上記図１の側面断面図である。囲い枠２の下方に横漏れ防止材５があり、舗装面に載置しているのがわかる。この図では、スプレッダーボックス３が矢印Ｂの方向に進みながら、矢印Ｃの方向に散水することになる。この図では、散水した後として水６が入った状態を示している。このように一定の水を散布したとき（散布完了）から、散布水が測定面積の観察される粗骨材の空隙に吸収されたときまでの時間を測定して浸透時間とする。
【００３６】
図３は、本装置の一例の具体的な図である。囲い枠２に、ガイドレール７が角度調整可能に取り付けられている。固定レバー８を緩め、角度を調整して再度固定レバー８を締める。スプレッダーボックス３にはワイヤ９が取り付けられ、前方のモーター１０によって引っ張り駆動される。
【００３７】
スプレッダーボックス３は、枠体１１に支持され角度調整可能になっている。中心部には、回転角調節装置１２が設けられている。また、上部には水準器１３が着いている。スプレッダーボックス３の下方にはスリット（図示せず）があり、そこから散水される。このスリットは、閉止用の止水パッドの上に位置しており、スプレッダーボックス３が移動すると、止水パッドがスリットから外れて散水する。
【００３８】
散水完了と同時にストップウォッチをスタートし、水位が測定面積表面上の粗骨材の空隙に吸収され見えなくなった時にストップウォッチを止める。これで測定完了である。
【符号の説明】
【００３９】
１  透水性測定装置
２  囲い枠
３  スプレッダーボックス
４  囲まれたエリア
５  止水パッド
６  水
７  ガイドレール
８  固定レバー
９  ワイヤ
１０  モーター
１１  枠体
１２  回転角調節装置
１３  水準器
【図１】
0006440490.tif 000002
【図２】
0006440490.tif 000003
【図３】
0006440490.tif 000004
【図４】
0006440490.tif 000005